(57)【要約】【課題】  緊急停止時に不可避的に送られてくるウェブによる三角板部分での紙詰りを抑制し、折加工部で発生した通紙不良の復旧時間の増加を抑制できる輪転印刷機を提供することを目的とする。【解決手段】  三角板２７と、三角板２７を通過したウェブ１１を折帳に加工する折加工部３１と、折加工部３１と三角板２７との間に設置され、ウェブ１１を選択的に幅方向に切断する横切断装置６７と、横切断装置６７の上流側に設置され、ウェブ１１を走行経路外へ選択的に案内する空気噴出装置８１と、三角板２７の上流側に設置され、ウェブ１１を選択的に縦断するタブロイドスリッタ１９と、折加工部３１における通紙不良の検知に対応して横切断装置６７、空気噴出装置８１およびタブロイドスリッタ１９を作動させる緊急排紙制御装置３３と、を備えていることを特徴とする。【選択図】      図３
2009062185.tif 000002
【特許請求の範囲】
【請求項１】
三角板と、
該三角板を通過したウェブを折帳に加工する折加工部と、
該折加工部と前記三角板との間に設置され、前記ウェブを選択的に幅方向に切断する第一切断手段と、
該第一切断手段の上流側に設置され、前記ウェブを走行経路外へ選択的に案内する案内部材と、
前記三角板の上流側に設置され、前記ウェブを選択的に縦断する第二切断手段と、
前記折加工部における通紙不良の検知に対応して前記第一切断手段、前記案内手段および前記第二切断手段を作動させる緊急排紙制御部と、
を備えていることを特徴とする輪転印刷機。
【請求項２】
前記第二切断手段は、前記三角板に導入される前記ウェブの幅方向略中央部を切断することを特徴とする請求項１に記載の輪転印刷機。
【請求項３】
前記三角板に導入される前記ウェブの幅方向略中央部を切断するタブロイドスリッタが備えられ、該タブロイドスリッタが前記第二切断手段として用いられることを特徴とする請求項１または請求項２に記載された輪転印刷機。
【請求項４】
前記案内部材は、前記三角板の案内面から圧縮空気を噴出する空気噴出部を備えていることを特徴とする請求項１から請求項３のいずれかに記載された輪転印刷機。
【請求項５】
前記空気噴出部は、前記三角板の両側にそれぞれ少なくとも１箇所備えられていることを特徴とする請求項４に記載された輪転印刷機。
【発明の詳細な説明】
【技術分野】
【０００１】
本発明は、輪転印刷機に関するものである。
【背景技術】
【０００２】
輪転印刷機は、給紙装置から繰り出されるウェブに印刷装置で印刷した後、折機で所定寸法に裁断し、所定の折帳に折り畳んで機外に排出している。
この折機の上流部には、ウェブを縦に２つ折りする三角板が配置され、下流部には、三角板からのウェブを折帳に加工する折加工部が備えられている。
折加工部には、たとえば、ウェブに張力を付与して送り込むニッピングローラ、ウェブを所定長さ毎に幅方向に切断する鋸胴および鋸胴によって切断されたウェブを針装置で引っ掛けて搬送しつつ幅方向に沿って２つ折りして折帳を形成する折胴が備えられている。
【０００３】
このような輪転印刷機において、運転中になんらかの原因でウェブが折加工部の部分に詰まったり、巻き付いたりすると、その部分に余計な応力が発生し、予期せぬ故障あるいは破損を誘発する恐れがある。
このため、折加工部の部分に紙詰り等が発生した場合に、それが成長しないように輪転印刷機の運転を緊急に停止している。
輪転印刷機の運転速度は早いので、停止するまでに相当量のウェブが折加工部に送り込まれ、紙詰まり等が成長し、破損等の危険性が増加することになる。
【０００４】
輪転印刷機が停止するまでのウェブを折加工部へ導入しないようにするため、従来から折加工部の搬送方向上流側にウェブを幅方向に切断する切断装置を設け、紙詰まりや紙の巻き付きなどが生じた場合、この切断装置によりウェブを切断し、後続のウェブを外部へ排出するようにしている（たとえば、特許文献１参照）。
この外部へのウェブの排出は、切断装置による切断と略同時に切断位置よりも上流側のウェブに圧縮空気を噴出し、そのままの形でウェブを三角板前に吹き飛ばすようにして行われている。
【０００５】
【特許文献１】特開２００３−２１２４３４号公報
【発明の開示】
【発明が解決しようとする課題】
【０００６】
ところで、高速の輪転印刷機では運転が停止されるまでに供給されるウェブが多量になる。このため、三角板前のスペースが十分でない場合には、従来のものは全部のウェブが１箇所に集中して排出されるので、三角板前にウェブが溢れ、三角板の上流側に位置するドラグローラ部での紙詰りが発生していた。
また、三角板の上流側における幅方向中央部分に、たとえば、スキップスリッタ等の処理部材が備えられている場合、吹き飛ばされたウェブの幅方向中央部分がこれらの処理部材に引っかかり、排出できないようになるので、三角板部分で紙詰りが発生し、三角板の上流側に位置するドラグローラ部での紙詰りが発生していた。
【０００７】
このように、三角板の上流側に位置するドラグローラ部で紙詰りが発生すると、ドラグローラ部に余計な応力が発生し、予期せぬ故障あるいは破損を誘発する恐れがあるし、印刷ユニット部分にまでウェブが弛むことになり、ウェブが断紙される恐れがある。また、このようにウェブが弛むと、印刷ユニット等の胴に巻きつく恐れがあるので、印刷ユニットの入口で積極的に切断する場合がある。
ドラグローラ部詰まったウェブを取り除くために余分な作業時間を要するし、最悪の場合には印刷ユニットに詰まったウェブの除去および印刷ユニットからの紙通し作業を要するので、印刷運転の再開に時間がかかり、輪転印刷機の稼動効率が低下する恐れがある。
【０００８】
本発明は、上記問題点に鑑み、緊急停止時に不可避的に送られてくるウェブによる三角板部分での紙詰りを抑制し、折加工部で発生した通紙不良の復旧時間の増加を抑制できる輪転印刷機を提供することを目的とする。
【課題を解決するための手段】
【０００９】
上記課題を解決するために、本発明は以下の手段を採用する。
すなわち、本発明にかかる輪転印刷機は、三角板と、該三角板を通過したウェブを折帳に加工する折加工部と、該折加工部と前記三角板との間に設置され、前記ウェブを選択的に幅方向に切断する第一切断手段と、該第一切断手段の上流側に設置され、前記ウェブを走行経路外へ選択的に案内する案内部材と、前記三角板の上流側に設置され、前記ウェブを選択的に縦断する第二切断手段と、前記折加工部における通紙不良の検知に対応して前記第一切断手段、前記案内手段および前記第二切断手段を作動させる緊急排紙制御部と、を備えていることを特徴とする。
【００１０】
本発明によれば、折加工部における通紙不良が検知されると、輪転印刷機の主制御部は別途輪転印刷機の運転を停止させるとともに緊急排紙制御部は第一切断手段を作動し、折加工部と三角板との間でウェブを幅方向に切断する。そして、緊急排紙制御部は案内手段を作動し、切断された位置よりも上流側のウェブをウェブの走行経路外へ案内する。
これと略同時に、緊急排紙制御部は第二切断手段を作動し、三角板に入るウェブを縦断、すなわち、ウェブの走行方向に沿うように切断する。これにより三角板に入るウェブは幅方向に分割されるので、それぞれ独立した複数の細幅の分割ウェブが三角板に導入されることになる。
【００１１】
この分割ウェブは切断される前のウェブに比べて剛性が小さくなるし、また、隣り合う分割ウェブ同士は相互に係合しないので、三角板に入ると両側、すなわち、走行方向左右に分かれ易くなる。この状態で、案内手段によって案内されると、分割ウェブは走行方向が左右に分かれて排出されるので、三角板前の広い範囲に分散して排出できる。
このように、分割ウェブは三角板前の広い範囲に分散して排出できるので、たとえ三角板前のスペースが十分でない場合であっても、三角板前にウェブが溢れることを抑制することができ、三角板部分での紙詰りの発生を抑制することができる。
【００１２】
また、分割ウェブは走行方向が左右に分かれて排出されるので、たとえ、三角板の上流側における幅方向中央部分に、たとえば、スキップスリッタ等の処理部材が備えられている場合でも、この処理部材に当る部分が分割ウェブの両側端部となる。
このため、分割ウェブが処理部材に引っ掛かって止められることがないので、三角板部分での紙詰りの発生を抑制することができる。
このように、三角板部分での紙詰りの発生を抑制することができるので、三角板の上流側へ紙詰りが波及することおよびウェブが弛むことを抑制できる。
したがって、三角板の上流側へ詰まったウェブを取り除くために余分な作業時間を必要とせず、最悪の場合である印刷ユニットに詰まったウェブの除去および印刷ユニットからの紙通し作業を必要としないので、折加工部で発生した通紙不良の復旧時間を短縮でき、輪転印刷機の稼動効率を向上させることができる。
【００１３】
また、上記発明では、前記第二切断手段は、前記三角板に導入される前記ウェブの幅方向略中央部を切断することが好適である。
このようにすれば、分割ウェブが処理部材に引っ掛かって止められることが一層なくなるので、三角板部分での紙詰りの発生をより抑制することができる。
【００１４】
また、上記発明では、前記三角板に導入される前記ウェブの幅方向略中央部を切断するタブロイドスリッタが備えられ、該タブロイドスリッタが前記第二切断手段として用いられることが好適である。
このようにすれば、タブロイド判の形成に用いるタブロイドスリッタを第二切断手段として用いるので、第二切断手段を別途備えることが不要となり、その分製造コストを安価にできる。
【００１５】
また、上記発明では、前記案内部材は、前記三角板の案内面から圧縮空気を噴出する空気噴出部を備えていることが好適である。
また、上記発明では、前記空気噴出部は、前記三角板の両側にそれぞれ少なくとも１箇所備えられていることが好適である。
【発明の効果】
【００１６】
本発明によれば、折加工部と三角板との間に設置され、ウェブを選択的に幅方向に切断する第一切断手段と、第一切断手段の上流側に設置され、ウェブを走行経路外へ選択的に案内する案内部材と、三角板の上流側に設置され、ウェブを選択的に縦断する第二切断手段と、折加工部における通紙不良の検知に対応して第一切断手段、案内手段および第二切断手段を作動させる緊急排紙制御部と、を備えているので、三角板部分での紙詰りの発生を抑制することができる。
このように、三角板部分での紙詰りの発生を抑制することができるので、三角板の上流側へ紙詰りが波及することおよびウェブが弛むことを抑制できる。
したがって、三角板の上流側へ詰まったウェブを取り除くために余分な作業時間を必要とせず、最悪の場合である印刷ユニットに詰まったウェブの除去および印刷ユニットからの紙通し作業を必要としないので、折加工部で発生した通紙不良の復旧時間を短縮でき、輪転印刷機の稼動効率を向上させることができる。
【発明を実施するための最良の形態】
【００１７】
以下、本発明の一実施形態にかかる新聞印刷に用いられる輪転印刷機１について、図１〜図３を参照して説明する。
輪転印刷機１は、ブロード判とタブロイド判とを出力するように構成されている。
図１は、輪転印刷機１の全体概略構成を示す正面図である。図２は、折機９の概略構成を示す側面図である。図３は折機９の上部を模式的に示す正面図である。
輪転印刷機１には、複数の給紙装置３と、印刷部５と、ターンバー列部７と、折機９とが備えられている。
【００１８】
給紙装置３には、それぞれウェブ１１がロール状に巻かれた巻取紙１３を回動自在に保持する３対のアーム１５が備えられている。
給紙位置に位置するアーム１５ａに取り付けられた巻取紙１３からウェブ１１が給紙されている場合に、紙継位置に位置するアーム１５ｂでは、巻取紙１３は紙継ぎ準備が施されて待機している。
ウェブ１１は、ブロード判における４頁分の印刷（表裏８頁分の印刷）ができる幅を備えている。
繰り出されている巻取紙１３のウェブ１１が残り少なくなると、待機している巻取紙１３のウェブ１１に紙継ぎされる。
このようにして、ウェブ１１は給紙装置３から印刷部５へ連続的に繰り出される。
【００１９】
印刷部５には、両面４色印刷を行なう多色刷印刷ユニット５ａと、両面２色印刷を行なう２色刷印刷ユニット５ｂとが備えられている。
なお、多色刷印刷ユニット５ａおよび２色刷印刷ユニット５ｂは一例を示したものであり、両面単色印刷を行なう単色刷印刷ユニット、一面４色他面２色印刷を行なう印刷ユニット等、適宜な印刷ユニットを用いることができる。
多色刷印刷ユニット５ａおよび２色刷印刷ユニット５ｂは、それぞれ給紙装置３から供給されるウェブ１１に所定の印刷を行ない、ターンバー列部７へ供給する。
【００２０】
ターンバー列部７は、図示を省略した多数のターンバーおよびスリッタを備えており、各印刷ユニット５ａ，５ｂからのウェブ１１の走行ルートを変更し、その重なり順番を変えられるように構成されている。
折機９は、ターンバー列部７から送られる複数のウェブ１１を重ねて、縦断したり、三角板により縦折りしたり、さらに横切断、横折りしたりし、所望の折帳として排出するように構成されている。
【００２１】
次に、折機９について、図２および図３により説明する。
折機９には、第一ドラグローラ１７と、タブロイドスリッタ（第二切断手段）１９と、第二ドラグローラ２１と、中央スリッタ２３と、スキップスリッタ２５と、三角板２７と、リードインローラ２９と、折加工部３１と、緊急排紙制御装置（緊急排紙制御部）３３と、が備えられている。
【００２２】
折機９における第一ドラグローラ１７、中央スリッタ２３および緊急排紙制御装置３３を除く各部材は、それぞれ図２に示されるように左右に並列して２組設けられている。
各図において、符号の後ろにつくサフィックス“ａ”，“ｂ”は、この２組を区別するためのものであり、ａは図２において左側にある部位または部材であることを示し、ｂは右側にある部位または部材であることを示している。
以後の説明では、左側および右側を区別する場合にはａ，ｂを付記するが、特に区別しない場合にはａ，ｂを省略して符号のみで部位または部材を示すものとする。
【００２３】
第一ドラグローラ１７は、三角板２７ａおよび三角板２７ｂの幅を合わせたものよりも長い長さとされ、図示しないフレームに回動自在に支持されている。第一ドラグローラ１７は図示しない駆動機構によって回転駆動されるように構成されている。
第一ドラグローラ１７の周面には、軸線方向に複数、たとえば、４個のワリス３５が対向するように配置されている。
【００２４】
ワリス３５は、硬質の合成ゴムまたはプラスチックで形成された円板状をしており、図示しない駆動機構によって第一ドラグローラ１７に対して接離可能に、かつ、自在に回転できるように構成されている。
ワリス３５は、ターンバー列部７から送られる複数のウェブ１１を重ねて第一ドラグローラ１７に押付けるものである。
【００２５】
ワリス３５はそれぞれ第一ドラグローラ１７の幅方向でウェブ１１の通常は印刷されていない部分に対応して配置されている。
第一ドラグローラ１７のワリス３５に対応する位置には、摩擦係数を増加するためにダイヤモンド粉粒が、たとえば、ニッケル電着により固定されて形成されている紙引き面が形成されている。
【００２６】
タブロイドスリッタ１９は、円板状の刃物である。タブロイドスリッタ１９は第一ドラグローラ１７の軸線方向に間隔を空けて２個設置されている。２個のタブロイドスリッタ１９の設置位置は、それぞれ三角板２７ａ，２７ｂにおける幅方向略中央部に相当する位置とされている。
タブロイドスリッタ１９は、図３に示されるように図示しないフレームに揺動可能に支持され、第一ドラグローラ１７に対して接離可能に取付けられている。タブロイドスリッタ１９は、図示しない駆動機構によって回転駆動されるように構成されている。
【００２７】
タブロイドスリッタ１９は、第一ドラグローラ１７と係合して三角板２７に導入されるウェブ１１の略中央部を縦に縦断するものである。
タブロイドスリッタ１９の支持部には、タブロイドスリッタ１９を第一ドラグローラ１７に対して接離させるように図示しないフレームに取り付けられた油圧シリンダ３７のロッドが係合している。油圧シリンダ３７のロッドは油圧供給部３９によって伸縮させられるように構成されている。
【００２８】
第二ドラグローラ２１は、三角板２７の直ぐ上流側に設けられている。第二ドラグローラ２１は三角板２７ａおよび三角板２７ｂの幅を合わせたものよりも長い長さとされ、図示しないフレームに回動自在に支持されている。
第二ドラグローラ２１は図示しない駆動機構によって第一ドラグローラ１７よりも少し早い速度で回転駆動されるように構成されている。
【００２９】
第一ドラグローラ１７の周面には、ワリス３５と略同構造をした複数、たとえば、４個のワリス４１が対向するように配置されている。
ワリス４１はそれぞれ第二ドラグローラ２１の幅方向でウェブ１１の通常は印刷されていない部分に対応して配置されている。
第二ドラグローラ２１のワリス４１に対応する位置には、摩擦係数を増加するためにダイヤモンド粉粒が、たとえば、ニッケル電着により固定されて形成されている紙引き面が形成されている。
【００３０】
中央スリッタ２３は、円板状の刃物であり、第二ドラグローラ２１の軸線方向略中央部に設置されている。
中央スリッタ２３は、図示しない駆動機構によって回転駆動されるとともに第二ドラグローラ２１に対して接離可能に取付けられている。
中央スリッタ２３は、全幅のウェブ１１の略中央部を縦に縦断し、ウェブ１１をそれぞれ三角板２７ａおよび２７ｂに導入される幅とするものである。
【００３１】
スキップスリッタ２５は、図３に示されるように円板状の本体周面に略半周に亘り刃物が突出して取付けられている。幅方向におけるスキップスリッタ２５の設置位置は、三角板２７ａ，２７ｂにおける幅方向略中央部に相当する位置とされている。
スキップスリッタ２５は第二ドラグローラ２１に対して接離可能に取付けられている。スキップスリッタ２５は、図示しない駆動機構によって回転駆動されるように構成されている。
スキップスリッタ２５は、第二ドラグローラ２１と係合して三角板２７に導入されるウェブ１１の略中央部を間欠的に縦に縦断するものである。
【００３２】
三角板２７は、三角形の板であり、その一辺が第二ドラグローラ２１に沿って配置され、該辺に対向する頂点が斜め下方に位置するように配置されている。
三角板２７は、通過するウェブ１１を２つ折りにし、あるいは、タブロイドスリッタ１９で縦断されたものは重ねて、半幅ウェブ１２を形成する。
リードインローラ２９は、間隔を空けて配置された一対のローラで構成されており、三角板２７からの半幅ウェブ１２を下方に案内するものである。
【００３３】
折加工部３１には、第一ニッピングローラ４３と、ガイドローラ４５と、第二ニッピングローラ４７と、折胴４９と、鋸胴５１と、折込みローラ５３と、羽根車５５と、排出コンベア５７と、が備えられている。
【００３４】
第一ニッピングローラ４３および第二ニッピングローラ４７は、それぞれ相互に接近離間可能に設けられた一対のロールで構成されている。
第一ニッピングロール４３および第二ニッピングロール４７は、それぞれ図示しない駆動機構によって回転駆動されるように構成されている。
第一ニッピングローラ４３および第二ニッピングローラ４７の周速度は、それぞれ上流側の半幅ウェブ１２の移動速度よりも若干早くされており、上流側の半幅ウェブ１２に張力を付与するとともに半幅ウェブ１２を下流側へ送り込む機能を有するものである。
ガイドローラ４５は、一方の半幅ウェブ１２を他方の第二ニッピングローラ４７へ案内するものである。
【００３５】
鋸胴５１の周面には、半幅ウェブ１２を切断する２組の切断刃６３が略１８０度間隔で設けられている。
折胴４９の周面には、２組の折ブレード６１が略１８０度間隔で設けられている。また、半幅ウェブ１２を搬送する２組の針装置５９が略１８０度間隔で設けられている。さらに、針装置５９の近傍には鋸胴５１の切断刃を受ける受部が備えられている。
【００３６】
折込みローラ５３は、折胴４９からの折帳６５を押圧する一対のローラで構成されている。
羽根車５５は、周面に複数の羽根が略等間隔に突出して設けられたおり、折込みローラ５３からの折帳６５を受け取り、排出コンベヤ５７へ受渡すものである。
【００３７】
リードインローラ２９と第一ニッピングローラ４３（折加工部３１）との間には、半幅ウェブ１２を選択的に幅方向に切断する横切断装置（第一切断手段）６７が備えられている。
横切断装置６７には、半幅ウェブ１２の全幅に亘り延在するミシン刃である切断刃６９と、切断刃６９を保持する保持体７１と、油圧シリンダ７３と、油圧供給部７５と、切断刃６９と半幅ウェブ１２を挟んで設けられた受部７７とが備えられている。
【００３８】
保持体７１は、図示しないフレームに半幅ウェブ１２に対して接離可能に支持されている。保持体７１には、図示しないフレームに取り付けられた油圧シリンダ７３のロッドが係合しており、保持体７１はロッドの伸縮によって半幅ウェブ１２に対して接離するようにされている。油圧シリンダ７３のロッドは油圧供給部７５によって伸縮させられるように構成されている。
切断刃６９は、保持体７１とともに進退し、受部７７に食い込むことによって半幅ウェブ１２を切り離すように幅方向に切断する。
【００３９】
横切断装置６７は、たとえば、半幅ウェブ１２を挟んで相互に接離する直刃状をした一対の断裁刃を備え、断裁刃同士が係合することによって半幅ウェブ１２を切断するものであってもよい。
また、横切断装置６７は、ロータリー式の切断機構を持つものであってもよい。いずれにしても、半幅ウェブ１２を幅方向に切断できるものであれば、適宜形式の切断機構を用いることができる。
【００４０】
三角板２７には、ウェブ１１を三角板２７の案内面７９から離れる方向に吹き飛ばす空気噴出装置（案内部材）８１が備えられている。
空気噴出装置８１には、三角板２７の両側端部の中間部分よりも第二ドラグローラ２１寄りの案内面７９に設けられた空気噴出部８３と、たとえば、圧縮機、ブロア等の空気供給源８５と、空気噴出部８３および空気供給源８５を結ぶ空気配管８７と、空気配管８７に介装された電磁開閉弁８９とが備えられている。
【００４１】
折加工部３１の下流部には、所要箇所に紙詰り等の通紙不良を検知する検知装置９１が少なくとも１箇所備えられている。検知装置９１は、たとえば、第二ニッピングローラ４７と折胴４９との間のウェブ通路、折胴４９および鋸胴の周面、折込みローラ５３の周囲あるいは羽根車５５の周囲等に必要に応じて適宜設置される。
検知装置９１としては、たとえば、近接スイッチ、リミットスイッチ等が適宜用いられる。検知装置９１は通紙不良を検知すると、緊急排紙制御装置３３に不良検知信号を送信する。
【００４２】
緊急排紙制御装置３３は、この不良検知信号を受けると、油圧供給部３９，７５を駆動し、油圧シリンダ３７のロッドを縮長し、タブロイドスリッタ１９を第一ドラグローラ１７へ接近させるとともに油圧シリンダ７３のロッドを伸長し、切断刃６９を受部７７へ向けて移動させる。
また、緊急排紙制御装置３３は、電磁開閉弁８９を開き、空気供給源８５からの圧縮空気を空気噴出部８３から噴出させるようにする。
【００４３】
以上のように構成された本実施形態にかかる輪転印刷機１の印刷動作について説明する。
たとえば、ブロード判で１６頁の新聞を印刷する場合、２台の印刷ユニットで行える。したがって、複数の多色刷印刷ユニット５ａあるいは２色刷印刷ユニット５ｂの中から用いられる印刷ユニットが選択される。
【００４４】
選択された多色刷印刷ユニット５ａあるいは２色刷印刷ユニット５ｂに対応する給紙装置３のアーム１５に保持された巻取紙１３から繰り出されるウェブ１１は、選択された多色刷印刷ユニット５ａあるいは２色刷印刷ユニット５ｂに送られる。
多色刷印刷ユニット５ａあるいは２色刷印刷ユニット５ｂで両面印刷されたウェブ１１は、ターンバー列部７に入る。ターンバー列部７に入ったウェブ１１は、中央で縦断され、重ね順序を調整されて一方の三角板２７ａに対応する幅方向位置で折機９に入る。
【００４５】
折機９に入ったウェブ１１は、第一ドラグローラ１７とワリス３５とによってターンバー列部７を通過するウェブ１１の速度よりも若干早い速度で下流側へ搬送される。
このとき、タブロイドスリッタ１９は第一ドラグローラ１７から離隔されているので、ウェブ１１は中央部分で縦断されることなく走行する。そして、第二ドラグローラ２１とワリス４１とによって速度を若干早められて下流側へ搬送され、三角板２７ａに入る。
【００４６】
三角板２７ａに導入されたウェブ１１は縦に２つ折りされ、半幅ウェブ１２とされる。半幅ウェブ１２はリードインローラ２９に案内されて第一ニッピングローラ４３に導入される。
第一ニッピングローラ４３では、半幅ウェブ１２は第二ドラグローラ２１よりも若干早い速度とされるので、上流側の半幅ウェブ１２に張力がかかるとともに下流側に送り出される。
【００４７】
第一ニッピングローラ部４３から送り出された半幅ウェブ１２は、第二ニッピングローラ４７でさらに早い速度とされ下流側に送られる。
この時、新聞の構成によっては、ガイドローラ４５を経由して隣の第二ニッピングローラ４７へ送られることもある。
【００４８】
そして、第二ニッピングローラ４７から送られる半幅ウェブ１２は、相互に反対方向に回転している折胴４９と鋸銅５１との間に導入される。
折胴４９は、半幅ウェブ１２の先端部に、針装置５９の針を突き刺し、半幅ウェブ１２を保持しつつ回転する。
折胴４９の回転によって搬送される半幅ウェブ１２は、下流側が鋸胴５１の切断刃６３によって横断される。
この横断されるタイミングと略合わせて、折胴４９の針装置５９が半幅ウェブ１２の保持を止め、折ブレード６１が突出する。
【００４９】
切断された半幅ウェブ１２は、折込みローラ５３の上部位置で突出する折ブレード６１によって横折りされ、折帳６５が形成される。
折胴４９からの折帳６５は折込みローラ５３によって押圧され折り目がシャープにされ、羽根車５５の羽根の間に落下する。
羽根車５５の回転によって下方の排出コンベア５７の上に順次落下され、排出コンベア５７によって機外に搬出される。
【００５０】
このとき、検知装置９１が折加工部３１における紙詰り等の通紙不良を検知すると、検知装置９１は、緊急排紙制御装置３３および主制御部に不良検知信号を送信する。
主制御部では、この不良検知信号を受けると、輪転印刷機１の運転速度を徐々に低減させ停止させる。
【００５１】
一方、緊急排紙制御装置３３は、この不良検知信号を受け、輪転印刷機１が停止するまでに折機９に流入するウェブ１１が通紙不良を一層悪化させないようにするために次のように動作する。
すなわち、緊急排紙制御装置３３は油圧供給部７５に制御信号を送り、油圧シリンダ７３のロッドを伸長させ、切断刃６９を受部７７へ向けて移動させる。これにより半幅ウェブ１２は幅方向に切断される。
【００５２】
同時に、緊急排紙制御装置３３は電磁開閉弁８９を開き、空気供給源８５からの圧縮空気を空気噴出部８３から噴出させる。これにより、切断された位置よりも上流側のウェブ１１は三角板２７の案内面７９から離れる方向に吹き飛ばされる。言い換えれば、ウェブ１１の走行経路外へ案内される。これにより、折機９に流入するウェブ１１は折加工部３１へ送られなくなる。
【００５３】
また、同時に、緊急排紙制御装置３３は油圧供給部３９に制御信号を送り、油圧シリンダ３７のロッドを縮長させ、タブロイドスリッタ１９を第一ドラグローラ１７へ接近させる。
これにより、タブロイドスリッタ１９が第一ドラグローラ１７の回りを通過するウェブ１１をその幅方向略中央部で縦断することになるので、ウェブ１１は幅方向中央部で分割され、２つの分割ウェブ９３を形成する。この分割ウェブ９３は切断される前のウェブ１１に比べて剛性が小さいので、外力に対して変形され易くなる。このため、走行中に蛇行する恐れがあるので、分割するのは三角板２７に近い位置で行なうのが望ましい。
【００５４】
この２つの分割ウェブ９３が三角板２７に導入されると、三角板９３から力を受けて走行方向が左右に分かれる方向に案内される。
この左右に分かれようとする状態で、分割ウェブ９３はそれぞれ空気噴出部８３から噴出される空気によって吹き飛ばされるので、分割ウェブ９３は左右に分かれ、三角板２７前の広い範囲に分散して排出される。
【００５５】
このように、分割ウェブ９３は三角板２７前の広い範囲に分散して排出されるので、三角板２７前のスペースを有効に活用することができる。
これにより、たとえ、三角板２７前のスペースが十分でない場合であっても、三角板２７前にウェブが溢れることを抑制することができ、三角板２７部分での紙詰りの発生を抑制することができる。
【００５６】
また、分割ウェブ９３はウェブ１１の幅方向略中央部で左右に分かれて排出されるので、たとえ、分割ウェブ９３が三角板９の上流側における幅方向中央部分に設けられたスキップスリッタ（処理部材）２５に当るとしても当る部分は分割ウェブ９３の端部となる。
このため、分割ウェブ９３がスキップスリッタ２５に引っ掛かったとしても、その部分（端部）は容易に変形するので、分割ウェブ９３全体の動きに追従する。したがって、分割ウェブ９３がスキップスリッタ２５によって止められることがないので、三角板２７部分での紙詰りの発生を抑制することができる。
【００５７】
このように、三角板２７部分での紙詰りの発生を抑制することができるので、第二ドラグローラ２１あるいは第一ドラグローラ１７へ紙詰りが波及することおよび印刷ユニット等においてウェブ１１が弛むことを抑制できる。
なお、本実施形態では、ウェブ１１を幅方向で分割して分割ウェブ９３とするのにタブロイドスリッタ１９を用いているが、別の切断手段を備えるようにしてもよい。この場合、ウェブ１１の分割位置は幅方向中央部以外とされてもよい。
【００５８】
輪転印刷機１の運転が停止されると、折加工部３１に詰まった半幅ウェブ１２あるいは折帳６５を取り除く。その後、折加工部３１の紙通しを行ない、印刷運転を再開する。
このとき、三角板２７の上流側への紙詰まりの波及を抑制できるので、詰まったウェブを取り除くために余分な作業時間を必要としない。また、最悪の場合である印刷ユニット５ａ，５ｂに詰まったウェブ１１の除去および印刷ユニット５ａ，５ｂからの紙通し作業を必要としない。このため、折加工部３１で発生した通紙不良の復旧時間を短縮でき、輪転印刷機１の稼動効率を向上させることができる。
【００５９】
本実施形態では、折加工部３１で発生した通紙不良時の復旧作業に、タブロイド判印刷時に用いるタブロイドスリッタ１９を活用しているので、この復旧作業用に別途切断手段を備える必要がなく、その分安価に製造できる。
【００６０】
なお、本実施形態では、折加工部３１の通紙不良時ウェブを外部へ排出する際、空気を噴出する空気噴出装置８１を用いているが、排出する手段としてはこれに限定されるものではなく、選択的に突出するガイド部材を用いる等機械的な手段を用いるようにしてもよい。
【００６１】
また、本実施形態では、新聞印刷用の輪転印刷機１に適用したものとして説明しているが、新聞印刷用に限定されるものでなく、一般の輪転印刷機に適用できるのは当然である。
【００６２】
なお、本発明は本実施形態に限定されるものではなく、本発明の要旨を逸脱しない範囲内において適宜変更することができる。
【図面の簡単な説明】
【００６３】
【図１】本発明の一実施形態にかかる輪転印刷機の全体概略構成を示す正面図である。
【図２】本発明の一実施形態にかかる折機の概略構成を示す側面図である。
【図３】本発明の一実施形態にかかる折機の上部を模式的に示す正面図である。
【符号の説明】
【００６４】
１  輪転印刷機
１１  ウェブ
１２  半幅ウェブ
１９  タブロイドスリッタ
２７  三角板
３１  折加工部
３３  緊急排紙制御装置
６７  横切断装置
８１  空気噴出装置
８３  空気噴出部
【図１】
2009062185.tif 000003
【図２】
2009062185.tif 000004
【図３】
2009062185.tif 000005